(57)【要約】【課題】  音声でキーワード情報を入力することにより、文字入力の煩雑さを解消し、また検索機構を簡素化し、ネットワーク上のオブジェクトを簡易に取得することができる情報配信システム、その方法、サーバ、端末装置およびプログラムを提供する。【解決手段】  サーバ１は、端末装置２から音声情報であるキーワード情報を受信し、音声変換手段１２によりキーワード情報を文字に変換し、検索手段により文字変換されたキーワード情報に基づいてキーワード情報とネットワーク上のオブジェクトの存在場所を示すオブジェクト位置情報とを対応付けて記憶するデータベース１５を検索して対応するオブジェクト位置情報を取得し、オブジェクト位置情報を端末装置２に送信する。【選択図】  図１
2005210157.tif 000002
【特許請求の範囲】
【請求項１】
ネットワークを介して接続されるサーバと、利用者が用いる端末装置とを含む情報配信システムであって、
前記サーバは、少なくとも１つ以上のキーワード情報とネットワーク上の特定のオブジェクトが存在する場所を示すオブジェクト位置情報とを対応付けて記憶するデータベースと、
前記端末装置から音声情報である前記キーワード情報を受信する情報受信手段と、
前記情報受信手段により受信された前記キーワード情報の音声を認識して文字へ変換する音声変換手段と、
前記音声変換手段により文字へ変換された前記キーワード情報に基づいて前記データベースを検索して対応する前記オブジェクト位置情報を取得する検索手段と、
前記検索手段により取得された前記オブジェクト位置情報を前記端末装置に送信するオブジェクト位置送信手段と、
を備え、
前記端末装置は、前記オブジェクト位置情報を特定するための前記キーワード情報を音声情報として受付けるキーワード受付手段と、
前記キーワード受付手段により受付けられた前記キーワード情報を前記サーバに送信するキーワード送信手段と、
前記サーバの前記オブジェクト位置送信手段により送信された前記オブジェクト位置情報を受信するオブジェクト位置受信手段と、
前記オブジェクト位置受信手段により受信された前記オブジェクト位置情報に基づいて前記オブジェクトを取得するオブジェクト取得手段と、
を備えることを特徴とする情報配信システム。
【請求項２】
前記サーバの前記情報受信手段は、前記端末装置からさらに発信番号情報を受信し、
前記オブジェクト位置送信手段は、前記発信番号情報に基づいて送信可能なメッセージにより前記オブジェクト位置情報を前記端末装置に送信し、
前記端末装置は、前記キーワード送信手段により前記キーワード情報を前記サーバに送信する際に、前記発信番号情報を前記サーバに通知する発信番号通知手段を備えることを特徴とする請求項１記載の情報配信システム。
【請求項３】
前記端末装置は、前記オブジェクト取得手段により取得された前記オブジェクトを表示する表示手段を備えることを特徴とする請求項１または２記載の情報配信システム。
【請求項４】
ネットワークを介して接続されるサーバと、利用者が用いる端末装置とを利用した情報配信方法であって、
前記端末装置は、ネットワーク上の特定のオブジェクトが存在する場所を示すオブジェクト位置情報を特定するためのキーワード情報を音声情報として受付けるステップと、
受付けられた前記キーワード情報を前記サーバに送信するステップと、
を有し、
前記サーバは、前記端末装置から前記キーワード情報を受信するステップと、
前記キーワード情報を受信するステップで受信された前記キーワード情報の音声を認識して文字へ変換するステップと、
文字へ変換された前記キーワード情報に基づいて、少なくとも１つ以上の前記キーワード情報と前記オブジェクト位置情報とを対応付けて記憶するデータベースを検索して対応する前記オブジェクト位置情報を取得するステップと、
取得された前記オブジェクト位置情報を前記端末装置に送信するステップと、
を有し、
前記端末装置は、前記サーバから送信された前記オブジェクト位置情報を受信するステップと、
受信された前記オブジェクト位置情報に基づいて前記オブジェクトを取得するステップと、
を有することを特徴とする情報配信方法。
【請求項５】
前記端末装置は、前記キーワード情報を前記サーバに送信する際に、発信番号情報を前記サーバに通知するステップを有し、
前記サーバは、前記端末装置から前記発信番号情報を受信するステップと、
前記発信番号情報に基づいて送信可能なメッセージにより前記オブジェクト位置情報を前記端末装置に送信するステップと、
を有することを特徴とする請求項４記載の情報配信方法。
【請求項６】
前記端末装置は、取得された前記オブジェクトを表示するステップを有することを特徴とする請求項４または５記載の情報配信方法。
【請求項７】
少なくとも１つ以上のキーワード情報とネットワーク上の特定のオブジェクトが存在する場所を示すオブジェクト位置情報とを対応付けて記憶するデータベースと、
音声情報である前記キーワード情報を受信する情報受信手段と、
前記情報受信手段により受信された前記キーワード情報の音声を認識して文字へ変換する音声変換手段と、
前記音声変換手段により文字へ変換された前記キーワード情報に基づいて前記データベースを検索して対応する前記オブジェクト位置情報を取得する検索手段と、
前記検索手段により取得された前記オブジェクト位置情報を送信するオブジェクト位置送信手段と、
を備えることを特徴とするサーバ。
【請求項８】
前記情報受信手段は、さらに発信番号情報を受信し、
前記オブジェクト位置送信手段は、前記発信番号情報に基づいて送信可能なメッセージにより前記オブジェクト位置情報を送信することを特徴とする請求項７記載のサーバ。
【請求項９】
ネットワーク上の特定のオブジェクトが存在する場所を示すオブジェクト位置情報を特定するためのキーワード情報を音声情報として受付けるキーワード受付手段と、
前記キーワード受付手段により受付けられた前記キーワード情報を送信するキーワード送信手段と、
前記キーワード情報に基づいて少なくとも１つ以上の前記キーワード情報と前記オブジェクト位置情報とを対応付けて記憶するデータベースを検索して取得された前記オブジェクト位置情報を受信するオブジェクト位置受信手段と、
前記オブジェクト位置受信手段により受信された前記オブジェクト位置情報に基づいて前記オブジェクトを取得するオブジェクト取得手段と、
を備えることを特徴とする端末装置。
【請求項１０】
前記キーワード送信手段により前記キーワード情報を送信する際に、発信番号情報を通知する発信番号通知手段を備えることを特徴とする請求項９記載の端末装置。
【請求項１１】
前記オブジェクト取得手段により取得された前記オブジェクトを表示する表示手段を備えることを特徴とする請求項９または１０に記載の端末装置。
【請求項１２】
ネットワーク上の特定のオブジェクトが存在する場所を示すオブジェクト位置情報を特定するためのキーワード情報を音声情報として受付けるステップと、
受付けられた前記キーワード情報をサーバに送信するステップと、
を端末装置に実行させ、
前記端末装置から前記キーワード情報を受信するステップと、
前記キーワード情報を受信するステップで受信された前記キーワード情報の音声を認識して文字へ変換するステップと、
文字へ変換された前記キーワード情報に基づいて、少なくとも１つ以上の前記キーワード情報と前記オブジェクト位置情報とを対応付けて記憶するデータベースを検索して対応する前記オブジェクト位置情報を取得するステップと、
取得された前記オブジェクト位置情報を前記端末装置に送信するステップと、
を前記サーバに実行させ、
前記サーバから送信された前記オブジェクト位置情報を受信するステップと、
受信された前記オブジェクト位置情報に基づいて前記オブジェクトを取得するステップと、
を前記端末装置に実行させることを特徴とする情報配信プログラム。
【請求項１３】
前記キーワード情報を前記サーバに送信する際に、発信番号情報を前記サーバに通知するステップを前記端末装置に実行させ、
前記端末装置から前記発信番号情報を受信するステップと、
前記発信番号情報に基づいて送信可能なメッセージにより前記オブジェクト位置情報を前記端末装置に送信するステップと、
を前記サーバに実行させることを特徴とする請求項１２記載の情報配信プログラム。
【請求項１４】
取得された前記オブジェクトを表示するステップを前記端末装置に実行させることを特徴とする請求項１２または１３記載の情報配信プログラム。
【発明の詳細な説明】
【技術分野】
【０００１】
本発明は、音声によりキーワード情報を入力することにより簡易にネットワーク上の特定のオブジェクトを取得することができる情報配信システム、情報配信方法、サーバ、端末装置および情報配信を実行するプログラムに関する。
【背景技術】
【０００２】
従来、移動体通信端末からネットワーク上の所望のオブジェクトを取得する場合には、例えば、移動体通信端末の利用者が、雑誌あるいは新聞広告等に記載されているネットワーク上のオブジェクトであるＷｅｂページのＵＲＬ（Uniform Resource Locators）を視覚で確認し、そのＵＲＬ情報を参照して、利用者自らが移動体通信端末の情報入力用のボタンを操作することにより直接、そのＵＲＬ情報を入力し、所望のＷｅｂページにアクセスしていた。また、移動体通信端末の利用者が、雑誌あるいは新聞広告等に記載されている所定の電子メールアドレスに端末装置から電子メールを送信すると、利用者の移動体通信端末の電子メールアドレスに所望のＷｅｂページのＵＲＬ情報が含まれている電子メールが送信され、利用者がそのＵＲＬ情報をクリックすることにより所望のＷｅｂページにアクセスすることも可能であった。
【０００３】
ここで、利用者の利便性を図るべく、利用者の要求に応じたＵＲＬ情報をインターネットから検索して提供するために、利用者の携帯端末から入力されたキーワードに基づいて検索エンジンにより利用者が要求する情報に関連する情報を格納しているＵＲＬ情報をインターネットの中から検索し、利用者の携帯端末にそのＵＲＬ情報を含む電子メールを送信する技術や、携帯電話から送られてくる音声を自動認識し、認識した音声の中から検索キーワードを抽出して上記のようにＵＲＬ情報をインターネットの中から検索する技術が多く提案されている（例えば、特許文献１参照）。
【特許文献１】特開２００１−３０６５６８号公報
【発明の開示】
【発明が解決しようとする課題】
【０００４】
しかしながら、上述した従来例においては次のような問題点があった。
【０００５】
利用者自らが移動体通信端末の情報入力用のボタンを操作することにより直接、そのＵＲＬ情報を入力するのでは、利用者はボタン操作により、多くの文字情報を入力することが必要となり、ＵＲＬ情報の入力のための労力および時間が過大にかかるという問題点があった。
【０００６】
また、移動体通信端末の利用者が、所定の電子メールアドレスに端末装置から電子メールを送信し、所望のＷｅｂページのＵＲＬ情報が含まれている電子メールを受信する場合であっても、所定の電子メールアドレスの入力作業が必要となり、電子メールアドレスの入力のための労力および時間が過大にかかるという問題点があった。
【０００７】
さらに、上記のいずれの方法によっても、所望のＷｅｂページのＵＲＬ情報あるいは問合せ用の所定の電子メールアドレスが記載されている雑誌あるいは新聞広告等を移動体通信端末の利用者が閲覧することができない場合には、それらの情報を入力することができないという問題点があった。
【０００８】
また、上記特許文献１に記載の従来例は、キーワードを含むＷｅｂページのＵＲＬ情報を検索する必要があり、検索のための複雑な機構を必要とし、システムが複雑となり、さらに検索のための時間を要するため、利用者が所望の特定のＵＲＬ情報のみを短時間に簡易に取得することが困難であるという問題点があった。
【０００９】
そこで、本発明は、音声によりキーワード情報を入力することにより、文字を入力する煩雑さを解消し、また、検索のための複雑な機構が不要である簡素化された構成あるいは処理手順により、利用者が端末装置を用いてネットワーク上の所望のオブジェクトを簡易に取得することができる情報配信システム、情報配信方法、サーバ、端末装置および情報配信を実行するプログラムを提供することを目的とする。
【課題を解決するための手段】
【００１０】
請求項１記載の発明は、ネットワークを介して接続されるサーバと、利用者が用いる端末装置とを含む情報配信システムであって、前記サーバは、少なくとも１つ以上のキーワード情報とネットワーク上の特定のオブジェクトが存在する場所を示すオブジェクト位置情報とを対応付けて記憶するデータベースと、前記端末装置から音声情報である前記キーワード情報を受信する情報受信手段と、前記情報受信手段により受信された前記キーワード情報の音声を認識して文字へ変換する音声変換手段と、前記音声変換手段により文字へ変換された前記キーワード情報に基づいて前記データベースを検索して対応する前記オブジェクト位置情報を取得する検索手段と、前記検索手段により取得された前記オブジェクト位置情報を前記端末装置に送信するオブジェクト位置送信手段と、を備え、前記端末装置は、前記オブジェクト位置情報を特定するための前記キーワード情報を音声情報として受付けるキーワード受付手段と、前記キーワード受付手段により受付けられた前記キーワード情報を前記サーバに送信するキーワード送信手段と、前記サーバの前記オブジェクト位置送信手段により送信された前記オブジェクト位置情報を受信するオブジェクト位置受信手段と、前記オブジェクト位置受信手段により受信された前記オブジェクト位置情報に基づいて前記オブジェクトを取得するオブジェクト取得手段と、を備えることを特徴とする情報配信システムである。
【００１１】
請求項２記載の発明は、請求項１記載の情報配信システムにおいて、前記サーバの前記情報受信手段は、前記端末装置からさらに発信番号情報を受信し、前記オブジェクト位置送信手段は、前記発信番号情報に基づいて送信可能なメッセージにより前記オブジェクト位置情報を前記端末装置に送信し、前記端末装置は、前記キーワード送信手段により前記キーワード情報を前記サーバに送信する際に、前記発信番号情報を前記サーバに通知する発信番号通知手段を備える。
【００１２】
請求項３記載の発明は、請求項１または２記載の情報配信システムにおいて、前記端末装置は、前記オブジェクト取得手段により取得された前記オブジェクトを表示する表示手段を備える。
【００１３】
請求項４記載の発明は、ネットワークを介して接続されるサーバと、利用者が用いる端末装置とを利用した情報配信方法であって、前記端末装置は、ネットワーク上の特定のオブジェクトが存在する場所を示すオブジェクト位置情報を特定するためのキーワード情報を音声情報として受付けるステップと、受付けられた前記キーワード情報を前記サーバに送信するステップと、を有し、前記サーバは、前記端末装置から前記キーワード情報を受信するステップと、前記キーワード情報を受信するステップで受信された前記キーワード情報の音声を認識して文字へ変換するステップと、文字へ変換された前記キーワード情報に基づいて、少なくとも１つ以上の前記キーワード情報と前記オブジェクト位置情報とを対応付けて記憶するデータベースを検索して対応する前記オブジェクト位置情報を取得するステップと、取得された前記オブジェクト位置情報を前記端末装置に送信するステップと、を有し、前記端末装置は、前記サーバから送信された前記オブジェクト位置情報を受信するステップと、受信された前記オブジェクト位置情報に基づいて前記オブジェクトを取得するステップと、を有することを特徴とする情報配信方法である。
【００１４】
請求項５記載の発明は、請求項４記載の情報配信方法において、前記端末装置は、前記キーワード情報を前記サーバに送信する際に、発信番号情報を前記サーバに通知するステップを有し、前記サーバは、前記端末装置から前記発信番号情報を受信するステップと、前記発信番号情報に基づいて送信可能なメッセージにより前記オブジェクト位置情報を前記端末装置に送信するステップと、を有する。
【００１５】
請求項６記載の発明は、請求項４または５記載の情報配信方法において、前記端末装置は、取得された前記オブジェクトを表示するステップを有する。
【００１６】
請求項７記載の発明は、少なくとも１つ以上のキーワード情報とネットワーク上の特定のオブジェクトが存在する場所を示すオブジェクト位置情報とを対応付けて記憶するデータベースと、音声情報である前記キーワード情報を受信する情報受信手段と、前記情報受信手段により受信された前記キーワード情報の音声を認識して文字へ変換する音声変換手段と、前記音声変換手段により文字へ変換された前記キーワード情報に基づいて前記データベースを検索して対応する前記オブジェクト位置情報を取得する検索手段と、前記検索手段により取得された前記オブジェクト位置情報を送信するオブジェクト位置送信手段と、を備えることを特徴とするサーバである。
【００１７】
請求項８記載の発明は、請求項７記載のサーバにおいて、前記情報受信手段は、さらに発信番号情報を受信し、前記オブジェクト位置送信手段は、前記発信番号情報に基づいて送信可能なメッセージにより前記オブジェクト位置情報を送信する。
【００１８】
請求項９記載の発明は、ネットワーク上の特定のオブジェクトが存在する場所を示すオブジェクト位置情報を特定するためのキーワード情報を音声情報として受付けるキーワード受付手段と、前記キーワード受付手段により受付けられた前記キーワード情報を送信するキーワード送信手段と、前記キーワード情報に基づいて少なくとも１つ以上の前記キーワード情報と前記オブジェクト位置情報とを対応付けて記憶するデータベースを検索して取得された前記オブジェクト位置情報を受信するオブジェクト位置受信手段と、前記オブジェクト位置受信手段により受信された前記オブジェクト位置情報に基づいて前記オブジェクトを取得するオブジェクト取得手段と、を備えることを特徴とする端末装置である。
【００１９】
請求項１０記載の発明は、請求項９記載の端末装置において、前記キーワード送信手段により前記キーワード情報を送信する際に、発信番号情報を通知する発信番号通知手段を備える。
【００２０】
請求項１１記載の発明は、請求項９または１０記載の端末装置において、前記オブジェクト取得手段により取得された前記オブジェクトを表示する表示手段を備える。
【００２１】
請求項１２記載の発明は、ネットワーク上の特定のオブジェクトが存在する場所を示すオブジェクト位置情報を特定するためのキーワード情報を音声情報として受付けるステップと、受付けられた前記キーワード情報をサーバに送信するステップと、を端末装置に実行させ、前記端末装置から前記キーワード情報を受信するステップと、前記キーワード情報を受信するステップで受信された前記キーワード情報の音声を認識して文字へ変換するステップと、文字へ変換された前記キーワード情報に基づいて、少なくとも１つ以上の前記キーワード情報と前記オブジェクト位置情報とを対応付けて記憶するデータベースを検索して対応する前記オブジェクト位置情報を取得するステップと、取得された前記オブジェクト位置情報を前記端末装置に送信するステップと、を前記サーバに実行させ、前記サーバから送信された前記オブジェクト位置情報を受信するステップと、受信された前記オブジェクト位置情報に基づいて前記オブジェクトを取得するステップと、を前記端末装置に実行させることを特徴とする情報配信プログラムである。
【００２２】
請求項１３記載の発明は、請求項１２記載の情報配信プログラムにおいて、前記キーワード情報を前記サーバに送信する際に、発信番号情報を前記サーバに通知するステップを前記端末装置に実行させ、前記端末装置から前記発信番号情報を受信するステップと、前記発信番号情報に基づいて送信可能なメッセージにより前記オブジェクト位置情報を前記端末装置に送信するステップと、を前記サーバに実行させる。
【００２３】
請求項１４記載の発明は、請求項１２または１３記載の情報配信プログラムにおいて、取得された前記オブジェクトを表示するステップを前記端末装置に実行させる。
【発明の効果】
【００２４】
本発明の情報配信システムによれば、サーバに、少なくとも１つ以上のキーワード情報とネットワーク上の特定のオブジェクトが存在する場所を示すオブジェクト位置情報とを対応付けて記憶するデータベースと、端末装置から音声情報であるキーワード情報を受信する情報受信手段と、情報受信手段により受信されたキーワード情報の音声を認識して文字へ変換する音声変換手段と、音声変換手段により文字へ変換されたキーワード情報に基づいてデータベースを検索して対応するオブジェクト位置情報を取得する検索手段と、検索手段により取得されたオブジェクト位置情報を端末装置に送信するオブジェクト位置送信手段とを設け、端末装置に、オブジェクト位置情報を特定するためのキーワード情報を音声情報として受付けるキーワード受付手段と、キーワード受付手段により受付けられたキーワード情報をサーバに送信するキーワード送信手段と、サーバのオブジェクト位置送信手段により送信されたオブジェクト位置情報を受信するオブジェクト位置受信手段と、オブジェクト位置受信手段により受信されたオブジェクト位置情報に基づいてオブジェクトを取得するオブジェクト取得手段とを設けることにより、音声によりキーワード情報を入力することにより、文字を入力する煩雑さを解消し、また、検索のための複雑な機構が不要である簡素化された構成により、利用者が端末装置を用いてネットワーク上の所望のオブジェクトを簡易に取得することができる。
【００２５】
本発明の、情報配信方法によれば、端末装置は、ネットワーク上の特定のオブジェクトが存在する場所を示すオブジェクト位置情報を特定するためのキーワード情報を音声情報として受付けるステップと、受付けられたキーワード情報をサーバに送信するステップとを有し、サーバは、端末装置からキーワード情報を受信するステップと、キーワード情報を受信するステップで受信されたキーワード情報の音声を認識して文字へ変換するステップと、文字へ変換されたキーワード情報に基づいて、少なくとも１つ以上のキーワード情報とオブジェクト位置情報とを対応付けて記憶するデータベースを検索して対応するオブジェクト位置情報を取得するステップと、取得されたオブジェクト位置情報を端末装置に送信するステップとを有し、端末装置は、サーバから送信されたオブジェクト位置情報を受信するステップと、受信されたオブジェクト位置情報に基づいてオブジェクトを取得するステップとを有することにより、音声によりキーワード情報を入力することにより、文字を入力する煩雑さを解消し、また、検索のための複雑な処理が不要である簡素化された処理手順により、利用者が端末装置を用いてネットワーク上の所望のオブジェクトを簡易に取得することができる。
【００２６】
本発明のサーバによれば、少なくとも１つ以上のキーワード情報とネットワーク上の特定のオブジェクトが存在する場所を示すオブジェクト位置情報とを対応付けて記憶するデータベースと、音声情報であるキーワード情報を受信する情報受信手段と、情報受信手段により受信されたキーワード情報の音声を認識して文字へ変換する音声変換手段と、音声変換手段により文字へ変換されたキーワード情報に基づいてデータベースを検索して対応するオブジェクト位置情報を取得する検索手段と、検索手段により取得されたオブジェクト位置情報を送信するオブジェクト位置送信手段とを設けることにより、音声によりキーワード情報を入力することにより、文字を入力する煩雑さを解消し、また、検索のための複雑な機構が不要である簡素化された構成により、利用者がネットワーク上の所望のオブジェクトを簡易に取得することができる。
【００２７】
本発明の端末装置によれば、ネットワーク上の特定のオブジェクトが存在する場所を示すオブジェクト位置情報を特定するためのキーワード情報を音声情報として受付けるキーワード受付手段と、キーワード受付手段により受付けられたキーワード情報を送信するキーワード送信手段と、キーワード情報に基づいて少なくとも１つ以上のキーワード情報とオブジェクト位置情報とを対応付けて記憶するデータベースを検索して取得されたオブジェクト位置情報を受信するオブジェクト位置受信手段と、オブジェクト位置受信手段により受信されたオブジェクト位置情報に基づいてオブジェクトを取得するオブジェクト取得手段とを設けることにより、音声によりキーワード情報を入力することにより、文字を入力する煩雑さを解消し、また、検索のための複雑な機構が不要である簡素化された構成により、利用者が端末装置を用いてネットワーク上の所望のオブジェクトを簡易に取得することができる。
【００２８】
本発明のプログラムによれば、ネットワーク上の特定のオブジェクトが存在する場所を示すオブジェクト位置情報を特定するためのキーワード情報を音声情報として受付けるステップと、受付けられたキーワード情報をサーバに送信するステップとを端末装置に実行させ、端末装置からキーワード情報を受信するステップと、キーワード情報を受信するステップで受信されたキーワード情報の音声を認識して文字へ変換するステップと、文字へ変換されたキーワード情報に基づいて、少なくとも１つ以上のキーワード情報とオブジェクト位置情報とを対応付けて記憶するデータベースを検索して対応するオブジェクト位置情報を取得するステップと、取得されたオブジェクト位置情報を端末装置に送信するステップとをサーバに実行させ、サーバから送信されたオブジェクト位置情報を受信するステップと、受信されたオブジェクト位置情報に基づいてオブジェクトを取得するステップとを端末装置に実行させることにより、音声によりキーワード情報を入力することにより、文字を入力する煩雑さを解消し、また、検索のための複雑な処理が不要である簡素化された処理手順により、利用者が端末装置を用いてネットワーク上の所望のオブジェクトを簡易に取得することができる。
【発明を実施するための最良の形態】
【００２９】
音声によりキーワード情報を入力することにより、文字を入力する煩雑さを解消し、また、検索のための複雑な機構が不要である簡素化された構成により、利用者が端末装置を用いてネットワーク上の所望のオブジェクトを簡易に取得することができる情報配信システムを、サーバに、少なくとも１つ以上のキーワード情報とネットワーク上の特定のオブジェクトが存在する場所を示すオブジェクト位置情報とを対応付けて記憶するデータベースと、端末装置から音声情報であるキーワード情報を受信する情報受信手段と、情報受信手段により受信されたキーワード情報の音声を認識して文字へ変換する音声変換手段と、音声変換手段により文字へ変換されたキーワード情報に基づいてデータベースを検索して対応するオブジェクト位置情報を取得する検索手段と、検索手段により取得されたオブジェクト位置情報を端末装置に送信するオブジェクト位置送信手段とを設け、端末装置に、オブジェクト位置情報を特定するためのキーワード情報を音声情報として受付けるキーワード受付手段と、キーワード受付手段により受付けられたキーワード情報をサーバに送信するキーワード送信手段と、サーバのオブジェクト位置送信手段により送信されたオブジェクト位置情報を受信するオブジェクト位置受信手段と、オブジェクト位置受信手段により受信されたオブジェクト位置情報に基づいてオブジェクトを取得するオブジェクト取得手段とを設けることにより実現した。
【実施例１】
【００３０】
本発明の第一の実施例の構成・動作を図を用いて説明する。
【００３１】
図１は、本実施形態における情報配信システムの構成を示す図である。図１を参照すると、サーバ１、端末装置２および交換機３から構成されており、端末装置２と交換機３とが電話通信ネットワーク５を介して接続されており、サーバ１と交換機３とがネットワーク４を介して接続されている。
【００３２】
サーバ１は、情報配信サービスを提供する企業等に設置されている情報処理装置である。例えば、ワークステーション等であってもよい。
【００３３】
端末装置２は、利用者が使用する情報処理装置であり、例えば、パーソナルコンピュータ、携帯電話機、ＰＨＳ（簡易型携帯電話）、または携帯情報端末を含む。また、通信手段は、有線または無線のいずれであってもよく、例えば、無線ＬＡＮ通信、Bluetoothまたは赤外線通信等を含む。
【００３４】
交換機３は、電話通信ネットワーク５を介して端末装置２と接続される、端末からの接続要求に対して所定の相手端末との接続を確立する機能を有する装置である。
【００３５】
ネットワーク４は、任意のネットワークであってよく、例えば、インターネットまたはＬＡＮ（Local Area Network）等を含む。
【００３６】
図２は、サーバ１および端末装置２の機能を示すブロック図である。サーバ１は、情報受信手段１１、音声変換手段１２、検索手段１３、オブジェクト位置送信手段１４およびデータベース１５を備えている。また、端末装置２は、キーワード受付手段１６、キーワード送信手段１７、発信番号通知手段１８、オブジェクト位置受信手段１９、オブジェクト取得手段２０および表示手段２１を備えている。
【００３７】
まず、サーバ１に関して、情報受信手段１１は、ネットワーク４を介して端末装置２から音声であるキーワード情報を受信する機能を有している。
【００３８】
音声変換手段１２は、ネットワーク４を介して端末装置２から受信した音声によるキーワード情報の音声を認識して、その音声に該当する文字情報に変換する機能を有している。例えば、音声認識エンジン等のソフトウエアであってもよい。
【００３９】
検索手段１３は、キーワード情報に基づいてデータベース１５の情報テーブルを検索して、キーワードと対応付けられたオブジェクトが格納されている位置情報を取得する機能を有している。ここで、オブジェクトとは、物理的あるいは概念的にまとまりをなす「もの」の機能、性質または属性をデータとしてモデル化し、データとこれに対する手続きメソッドを一体化したものをいい、例えば、ソフトウエアまたはＷｅｂページ等である。
【００４０】
ここで、データベース１５は、キーワード情報とオブジェクトが格納されている位置情報とを１対１に対応付けて情報テーブルに格納している。これにより、１つのキーワードから１つのオブジェクトが格納されている位置情報を取り出すことが可能となる。オブジェクトが格納されている位置情報とは、例えば、インターネット上のいかなるサーバ上に情報が保存されているか等の情報をいう。具体的には、ＵＲＬ情報等を含む。例えば、図３に示すように情報テーブルの１列目には、キーワードという項目名を設定して、キーワード情報を格納し、２列目には、ＵＲＬという項目名を設定して、ＵＲＬ情報を格納することとしてもよい。また、複数のキーワード情報と１つのＵＲＬ情報を結び付けて格納してもよい。この場合であっても、１つのキーワードから１つのオブジェクトが格納されている位置情報を取り出すことが可能である。
【００４１】
オブジェクト位置送信手段１４は、キーワードと対応付けられたオブジェクトが格納されている位置情報をネットワーク４を介して端末装置２に送信する機能を有している。
【００４２】
次に、端末装置２に関して、キーワード受付手段１６は、キーワード情報を受付ける機能を有している。例えば、音声情報を受取ることが可能な受話器機構またはマイク機構等であってもよい。
【００４３】
キーワード送信手段１７は、音声情報であるキーワード情報をアナログ信号によりネットワーク４を介してサーバ１に送信する機能を有している。
【００４４】
発信番号通知手段１８は、端末装置２の発信番号情報をネットワーク４を介してサーバ１に通知する機能を有している。発信番号情報とは、例えば、端末装置２を一意に識別することができる電話番号等である。
【００４５】
オブジェクト位置受信手段１９は、ＵＲＬ情報等のオブジェクト位置情報をネットワーク４を介して端末装置２から受信する機能を有している。
【００４６】
オブジェクト取得手段２０は、ＵＲＬ情報等のオブジェクト位置情報に基づいてオブジェクトを取得する機能を有している。インターネット上のオブジェクトを取得して、端末装置２において所定の処理を実行することとしてもよい。インターネット上のオブジェクトを取得して所定の記憶部に格納する機能を有していてもよい。
【００４７】
表示手段２１は、ＵＲＬ情報等のオブジェクト位置情報に基づいて取得されたオブジェクトを表示する機能を有している。例えば、液晶ディスプレイ等の表示機構である。
【００４８】
以上のように構成された実施形態における情報配信システムの動作について図４に基づいて説明する。
【００４９】
図４は、端末装置２が、携帯電話機等であり、音声によりキーワードを送信して、キーワードに基づいて対応するＵＲＬ情報を配信する処理手順を示す図である。まず、端末装置２は、マイク機構から音声により利用者が指定するキーワード情報を受付ける利用者が指定するキーワード情報を受付ける（Ｓ４０１）。ここで、キーワード情報は、好適には単一の単語である。ただし、複数の単語の組合せであるキーワード情報を受付けることができてもよい。
【００５０】
次に、端末装置２は、サーバ１の電話番号に発信番号通知機能を利用して、音声で入力されたキーワード情報をアナログデータ通信により電話通信ネットワーク５および交換機３を経由して、さらにネットワーク４を介してサーバ１に送信する（Ｓ４０２）。
【００５１】
サーバ１は、電話通信機能を利用して端末装置２から音声によりキーワード情報を受信する（Ｓ４０３）。
【００５２】
サーバ１は、音声認識エンジンにより、受信したキーワード情報の音声を認識して、該当する文字情報に変換する（Ｓ４０４）。
【００５３】
サーバ１は、文字情報に変換されたキーワード情報に基づいてデータベース１５の情報テーブルを検索して、受信したキーワード情報と情報テーブルの１列目に格納されているキーワードという項目名のキーワード情報とが一致するか否かを判定して、一致する場合には、そのキーワード情報と結び付けられている、情報テーブルの２列目に格納されている、ＵＲＬという項目名のＵＲＬ情報が存在するか否かを判定して、存在する場合には、そのＵＲＬ情報を取得することとしてもよい（Ｓ４０５）。例えば、図３に示すように、「山田書店」というキーワードと、「http://www.yamada.syoten.co.jp」というＵＲＬ情報が対応付けられる。また、「山田書店東京販売所」および「山田書店大阪販売所」という複数のキーワード情報と、「http://www.yamada.syoten.co.jp」という１つのＵＲＬ情報が対応付けられてもよい。
【００５４】
ここで、キーワード情報に対応付けられたＵＲＬ情報が存在するか否かが判定され（Ｓ４０６）、存在しない場合には、その旨の回答が端末装置２に送信され、処理は終了する。一方、存在する場合には、サーバ１は、ネットワーク４を介して端末装置２にＵＲＬ情報を送信する（Ｓ４０７）。
【００５５】
端末装置２は、ＵＲＬ情報をネットワーク４を介してサーバ１から受信する（Ｓ４０８）。
【００５６】
端末装置２は、所定のブラウザ機能を利用してＵＲＬ情報に基づいてＷｅｂページ等のオブジェクトを取得する（Ｓ４０９）。ここで、インターネット上のオブジェクトを取得して記憶部に格納してもよい。
【００５７】
上記実施例によれば、通常の電話をかけるのと同様に音声によりキーワード情報を指定することができるため利用者のキーワード指定の操作負担が軽減される。また、検索のための複雑な機構が不要である簡素化された構成により、利用者が端末装置２を用いてネットワーク上の所望のオブジェクトのみを簡易に取得することができ、端末装置２において、取得したオブジェクトを利用した種々の処理が可能となる。
【実施例２】
【００５８】
本発明の第二の実施例の動作を以下に説明する。端末装置２が、携帯電話機等であり、発信番号情報をサーバ１に通知する場合において第一の実施の形態と同様の情報配信機能を実現するものである。
【００５９】
サーバ１の実質的な構成は、第一の実施の形態と同様であるが、情報受信手段１１は、キーワード情報および発信番号情報を受信する機能を有している。キーワード情報および発信番号情報は同一の機構により受信されても、それぞれ異なる機構により受信されてもよい。また、オブジェクト位置送信手段１４は、端末装置２の発信番号情報に基づいて送信可能なメッセージによりオブジェクトが格納されている位置情報をネットワーク４を介して端末装置２に送信する機能を有している。
【００６０】
端末装置２は、携帯電話機またはＰＨＳ等であり、実質的な構成は、第一の実施の形態と同様であるが、オブジェクト位置受信手段１９は、発信番号情報に基づいて送信可能なメッセージによりサーバ１から文字情報であるＵＲＬ情報を受信する機能を有している。
【００６１】
以下、本実施の形態の情報配信システムにおける処理の流れを説明する。
【００６２】
端末装置２が、携帯電話機等であり、発信番号情報をサーバ１に通知する場合において第一の実施の形態と同様の情報配信処理手順を示す図である図５を参照すると、まず、端末装置２は、マイク機構等から音声により利用者が指定するキーワード情報を受付ける（Ｓ５０１）。
【００６３】
次に、端末装置２は、サーバ１の電話番号に発信番号通知機能を利用して、音声で入力されたキーワード情報をアナログデータ通信により電話通信ネットワーク５および交換機３を経由して、さらにネットワーク４を介してサーバ１に送信する（Ｓ５０２）。併せて、端末装置２は、電話通信ネットワーク５および交換機３を経由して、さらにネットワーク４を介して端末装置２の発信番号情報をサーバ１に通知する。
【００６４】
サーバ１は、電話通信機能を利用して端末装置２から音声によりキーワード情報を受信する（Ｓ５０３）。併せて、端末装置２の発信番号情報を取得する。
【００６５】
サーバ１は、音声認識エンジンにより、受信したキーワード情報の音声を認識して、文字情報に変換する（Ｓ５０４）。
【００６６】
サーバ１は、文字情報に変換されたキーワード情報に基づいてデータベース１５の情報テーブルを検索して、受信したキーワード情報と情報テーブルの１列目に格納されているキーワードという項目名のキーワード情報とが一致するか否かを判定して、一致する場合には、そのキーワード情報と結び付けられている、情報テーブルの２列目に格納されている、ＵＲＬという項目名のＵＲＬ情報が存在するか否かを判定して、存在する場合には、そのＵＲＬ情報を取得することとしてもよい（Ｓ５０５）。
【００６７】
ここで、キーワード情報に対応付けられたＵＲＬ情報が存在するか否かが判定され（Ｓ５０６）、存在しない場合には、その旨の回答が端末装置２に送信され、処理は終了する。一方、存在する場合には、サーバ１は、端末装置２から受信した発信番号情報に基づいて送信可能なメッセージによりネットワーク４を介して端末装置２にＵＲＬ情報を送信する（Ｓ５０７）。ここで、発信番号情報に基づいて送信可能なメッセージとは、例えば、携帯電話機等の固有の電話番号を利用するショートメール、スカイメールまたはＣメール等である。これにより、ＵＲＬ情報を送信するのに十分な情報量を送信することが可能なメッセージの送り先情報を簡易に取得することができる。なお、携帯電話機等の電話番号と結び付けられた所定の電子メールアドレスを利用する形態であってもよい。
【００６８】
端末装置２は、ＵＲＬ情報を発信番号情報に基づいて送信可能なメッセージによりネットワーク４を介してサーバ１から受信する（Ｓ５０８）。
【００６９】
端末装置２は、所定のブラウザ機能を利用してＵＲＬ情報に基づいてＷｅｂページ等のオブジェクトを取得する（Ｓ５０９）。ここで、インターネット上のオブジェクトを取得して記憶部に格納してもよい。
【００７０】
上記実施例によれば、通常の電話をかけるのと同様に音声によりキーワード情報を指定することが可能であるとともに、ＵＲＬ情報を送信するために十分な情報量を利用可能なメッセージの送り先情報を通話と同時に取得することが可能であるため容易にＵＲＬ情報の送り先情報を取得することができる。
【実施例３】
【００７１】
本発明の第三の実施例の動作を以下に説明する。端末装置２が表示部を有する場合において、第一の実施の形態または第二の実施の形態と同様の情報配信機能を実現するものである。
【００７２】
サーバ１の実質的な構成は、第一の実施の形態または第二の実施の形態と同様である。
【００７３】
端末装置２は、液晶ディスプレイ等の表示部を有しており、実質的な構成は、第一の実施の形態または第二の実施の形態と同様である。
【００７４】
以下、本実施の形態の情報配信システムにおける処理の流れを説明する。
【００７５】
まず、端末装置２がキーワード情報を受付け、そのキーワード情報および発信番号をサーバ１に送信し、音声によるキーワード情報を音声変換し、そのキーワードに基づいて検索し、ＵＲＬ情報を取得し、そのＵＲＬ情報を発信番号情報に基づいて送信可能なメッセージにより端末装置２に送信するまでの動作は、第一の実施の形態または第二の実施の形態と同様である（Ｓ６０１〜Ｓ６０７）。
【００７６】
そして、端末装置２は、ＵＲＬ情報を発信番号情報に基づいて送信可能なメッセージによりネットワーク４を介してサーバ１から受信する（Ｓ６０８）。ここで、端末装置２の表示部に受信した発信番号情報に基づいて送信可能なメッセージに含まれるＵＲＬ情報の部分が白黒反転して表示されてもよい。これにより、視覚により容易に該当情報を確認することができ、またオブジェクトを取得する際の操作が容易となる。
【００７７】
端末装置２は、所定のブラウザ機能を利用してＵＲＬ情報に基づいてＷｅｂページ等のオブジェクトを取得する（Ｓ６０９）。ここで、取得したインターネット上のオブジェクトを所定の記憶部に格納してもよい。また、ＵＲＬ情報がディスプレイに白黒反転して表示された場合において、その反転部分をクリックすることにより所定のＷｅｂページ等のオブジェクト情報がダウンロードされてもよい。
【００７８】
端末装置２は、表示部にＷｅｂページ等のオブジェクトを表示する（Ｓ６１０）。
【００７９】
上記実施例によれば、サーバ１から送信された発信番号情報に基づいて送信可能なメッセージのＵＲＬ情報を示す反転部分をクリックすることにより簡易にＷｅｂページ等のオブジェクトを表示部に表示させることが可能となり、利用者の操作手順の簡略化を図ることができる。
【００８０】
なお、上述する実施の形態は、本発明の好適な実施の形態であり、本発明の要旨を逸脱しない範囲内において種々変更実施が可能である。例えば、発信番号情報に基づいて送信可能なメッセージによりＵＲＬ情報を端末装置２に送信するサーバを別個に設ける構成であってもよい。また、端末装置２のボタン機構、外部記憶媒体から情報を取得する取込機構または電子メール等を受取る機構によりキーワード情報がテキスト形式で入力され、サーバ１に送信されてもよい。さらに、上記各実施の形態における図４〜６に示す処理動作の全部または一部を情報処理装置により実行させるためのプログラムも本発明に属する。
【産業上の利用可能性】
【００８１】
本発明は、氏名を指定することによりその利用者の電話番号情報を取得して自動的に情報を発信する情報配信システムにも適用できる。
【図面の簡単な説明】
【００８２】
【図１】本発明の第二の実施形態におけるシステムの構成を示す図である。
【図２】本発明の実施形態におけるサーバおよび端末装置の機能を示すブロック図である。
【図３】本発明の実施形態における情報テーブルの構造を示す図である。
【図４】本発明の第一の実施形態における情報配信処理の動作を示すフローチャートである。
【図５】本発明の第二の実施形態における情報配信処理の動作を示すフローチャートである。
【図６】本発明の第三の実施形態における情報配信処理の動作を示すフローチャートである。
【符号の説明】
【００８３】
１    サーバ
２    端末装置
３    交換機
４    ネットワーク
５    電話通信ネットワーク
１２    音声変換手段
１４    オブジェクト位置送信手段
１５    データベース
【図１】
2005210157.tif 000003
【図２】
2005210157.tif 000004
【図３】
2005210157.tif 000005
【図４】
2005210157.tif 000006
【図５】
2005210157.tif 000007
【図６】
2005210157.tif 000008